Podtech/llm-jp-corpus-v4-ja_patent huggingface dataset:
(57)【要約】【課題】内槽の荷重負担を低減することを可能にした低温液体貯蔵用タンクを提供する。【解決手段】低温液体を貯蔵する内槽２と、内槽２を囲繞して内包するように配設される外槽３と、内槽２と外槽３の間に設けられる真空断熱層４とを備え、且つ、真空断熱層４に、内槽２と外槽３を連結し、内槽２と外槽３の間で力を伝達するための応力伝達部材５を設けて構成する。【選択図】図２
2018135932.tif 000002
【特許請求の範囲】
【請求項１】
低温液体を貯蔵する内槽と、
前記内槽を囲繞して内包するように配設される外槽と、
前記内槽と前記外槽の間に設けられる真空断熱層とを備え、
且つ、前記真空断熱層に、前記内槽と前記外槽を連結し、前記内槽と前記外槽の間で力を伝達するための応力伝達部材を設けて構成されていることを特徴とする低温液体貯蔵用タンク。
【請求項２】
前記応力伝達部材は柱状の部材であることを特徴とする請求項１に記載の低温液体貯蔵用タンク。
【請求項３】
前記柱状部材は円筒形または角柱形であることを特徴とする請求項２に記載の低温液体貯蔵用タンク。
【請求項４】
前記応力伝達部材は板状の部材であることを特徴とする請求項１に記載の低温液体貯蔵用タンク。
【請求項５】
前記板状の部材は格子状またはハニカム状に構成されていることを特徴とする請求項４に記載の低温液体貯蔵用タンク。
【発明の詳細な説明】
【技術分野】
【０００１】
本発明は、液化水素などの低温液体の貯蔵に用いられる低温液体貯蔵用タンクに関する。
【背景技術】
【０００２】
従来、液化天然ガス（ＬＮＧ）、液化石油ガス（ＬＰＧ）等の低温液体を貯蔵するためのタンクとして、内槽と外槽を有する二重殻構造のタンクが用いられている。
【０００３】
この種のタンクは、例えば、コンクリート製の基礎版と、基礎版上に設置される金属製の内槽（貯槽）及び外槽と、内槽と外層の間に充填されて保冷機能、断熱機能を発揮するウレタンフォーム、ポリイソシアヌレートフォーム、パーライトなどの保冷材（断熱材）とを備えて構成されている（例えば、特許文献１参照）。
【０００４】
また、液化水素などの低温液体の蒸発をより確実に抑えるため、内槽と外層の間を真空の断熱層とし、内部の液圧と真空で引っ張られる圧力を内槽が受け、大気圧を外槽が受けてそれぞれの作用圧力を担うようにして構成したものがある。
【先行技術文献】
【特許文献】
【０００５】
【特許文献１】特開２０１４−１９４２５６号公報
【発明の概要】
【発明が解決しようとする課題】
【０００６】
一方、上記の通り、内槽を鋼構造で構成することが一般的であるが、作用する液圧やガス圧、真空圧に対して自立させるために、内槽の部材厚を大きくする必要が生じる。
【０００７】
本発明は、上記事情に鑑み、内槽の荷重負担を低減することを可能にした低温液体貯蔵用タンクを提供することを目的とする。
【課題を解決するための手段】
【０００８】
上記の目的を達するために、この発明は以下の手段を提供している。
【０００９】
本発明の低温液体貯蔵用タンクは、低温液体を貯蔵する内槽と、前記内槽を囲繞して内包するように配設される外槽と、前記内槽と前記外槽の間に設けられる真空断熱層とを備え、且つ、前記真空断熱層に、前記内槽と前記外槽を連結し、前記内槽と前記外槽の間で力を伝達するための応力伝達部材を設けて構成されていることを特徴とする。
【発明の効果】
【００１０】
本発明の低温液体貯蔵用タンクにおいては、内槽と外槽を応力伝達部材で接続し、内槽に作用する荷重を内槽及び外槽で受け持つように構成することができる。
【００１１】
これにより、従来と比較し、内槽の荷重負担を低減することができる。よって、内槽の板厚を小さくすることができ、非常に高価な低温液体貯蔵用タンクの低コスト化、さらに施工性の向上を図ることが可能になる。
【図面の簡単な説明】
【００１２】
【図１】本発明の一実施形態に係る低温液体貯蔵用タンクを示す断面図である。
【図２】低温液体貯蔵用タンクの一部を拡大した図（図２（ｂ）：図１のＳ部を拡大した図）であり、（ａ）が従来の低温液体貯蔵用タンク、（ｂ）が本発明の一実施形態に係る低温液体貯槽用タンクの一部を示す図である。
【発明を実施するための形態】
【００１３】
以下、図１及び図２を参照し、本発明の一実施形態に係る低温液体貯蔵用タンクについて説明する。ここで、本実施形態は、例えば液化水素などの超低温液体の貯蔵に用いて好適なタンクに関するものである。
【００１４】
本実施形態の低温液体貯蔵用タンクＡは、図１に示すように、低温液体１を貯蔵する金属製の内槽２と、内槽２を囲繞するように設けられる外槽３と、内槽２と外槽３の間に設けられ、断熱性能を確保するための真空断熱層４とを備えて構成されている。
【００１５】
一方、本実施形態の低温液体貯蔵用タンクＡは、内槽２と外槽３を連結し、外力が作用した際に内槽２と外槽３の間で力を伝達するための応力伝達部材（連結支柱）５を真空断熱層４に設けて構成されている。
【００１６】
すなわち、本実施形態の低温液体貯蔵用タンクＡにおいては、内槽２に作用する荷重を応力伝達部材５を介して外槽３に伝達し、この荷重を内槽２及び外槽３の双方で受け持つように構成されている。
【００１７】
また、本実施形態では、応力伝達部材５が円筒状に形成され、その軸線方向両端をそれぞれ内槽２と外槽３に接続して真空断熱層４に配設されている。なお、応力伝達部材５の設置数、設置箇所は適宜設定すればよい。
【００１８】
上記のように構成した本実施形態の低温液体貯蔵用タンクＡによれば、内槽２と外槽３を応力伝達部材５で接続し、内槽２に作用する荷重を内槽２及び外槽３で受け持つようにしたことで、内槽２の荷重負担を低減することができる。
【００１９】
よって、従来と比較し、内槽２の板厚を小さくすることができ、非常に高価な低温液体貯蔵用タンクＡの低コスト化、施工性の向上を図ることが可能になる。
【００２０】
また、本実施形態の低温液体貯蔵用タンクＡにおいては、応力伝達部材５で内槽２と外槽３を構造的に連結することによって、例えば鉄筋コンクリート造の外槽３のみで内部の液圧、真空の引張、大気圧に抵抗するように構成することも可能になる。
【００２１】
なお、内槽２と外槽３を連結する応力伝達部材５は、図２（ｂ）のように円筒形の部材で構成されていることが望ましいが、角柱形等必ずしも円筒形でなくてもよく、また柱状でなくてもよい。例えば、応力伝達性能の観点から、内槽２と外槽３の間を板状のもので形成した格子構造、ハニカム構造等で応力伝達部材５が構成されていてもよい。
【００２２】
以上、本発明に係る低温液体貯蔵用タンクの一実施形態について説明したが、本発明は上記の実施形態に限定されるものではなく、その趣旨を逸脱しない範囲で適宜変更可能である。
【００２３】
例えば、本実施形態では、本発明に係る低温液体貯蔵用タンクが液化水素を貯蔵するものとして説明を行ったが、勿論、ＬＮＧ、ＬＰＧ等の他の低温液体の貯蔵に本発明に係る低温液体貯蔵用タンクを適用しても構わない。
【符号の説明】
【００２４】
１    低温液体
２    内槽
３    外槽
４    真空断熱層
５    応力伝達部材（連結支柱）
Ａ    低温液体貯蔵用タンク
【図１】
2018135932.tif 000003
【図２】
2018135932.tif 000004
(57)【要約】      （修正有）【課題】従来のステレオ・アンプ方式を変える。【解決手段】超高域，高域，中域，低域これらを４つの別々のアンプでドライブし全体の音量を総合コントロールする。超高域，高域，中域，低域一つの域を１つずつ別のアンプで再生し、高域だけ出したければその音域のアンプのボリュームを上げ、低域を出したければ低域のアンプのボリュームを上げる。【選択図】図２
2018064259.tif 000002
【特許請求の範囲】
【請求項１】
従来のステレオを変える
【発明の詳細な説明】
【技術分野】
【０００１】
【先行技術文献】
従類のアンプ
【背景技術】従類の一つのアンプのスピカーコードを一つから３つに分けるナンセンスをなくす【０００２】
【特許文献１】
【特許文献２】
【非特許文献】
【０００４】
【非特許文献１】
【非特許文献２】
【発明の概要】
超高域高域中域低域
６つ  これらを４つの別々のアンプでドライブし全体の音量を総合コントロールする
発明が解決しようとする課題  一つのアンプから３つのツィータースコーカーウーハーに分けるナンセンスをなくす
手段  一つのアンプから三つのスピーカにわけるのでなく４つのアンプから別々のスピーカ  スーパーツィーター  ツィータースコーカーウーハーにアンプが別々にドライブして別々のスピーカにつなげ一つのボリュームで一世に音量を調設する二つの音量調節アンプ
【発明の効果】別々のアンプでドライブするので音がシンプル別々のアンプでドライブするのでツィータスコーカなどの音量を単一つ別々にコントロールできる
【発明を実施するための形態】
一つのソースの音を４つの別々のアンプでドライブし別々のスピーカーで鳴し一斉にコントロールするコントロールアンプ２つ
実施例
ジョンレノンのニュー統一方式
【産業上の利用性】
ＡＵＤＩＯステレオの新しい方式
【図１】
2018064259.tif 000003
【図２】
2018064259.tif 000004
【手続補正書】
【提出日】平成28年12月12日(2016.12.12)
【手続補正１】
【補正対象書類名】明細書
【補正対象項目名】全文
【補正方法】変更
【補正の内容】
【発明の詳細な説明】
【技術分野】
【０００１】ステレオニューアンプ方式
【背景技術】
【０００２】ステレオの新しい方式  シンセサイザーアンプに近い
【先行技術文献】
【特許文献】
【０００３】
【特許文献１】一つのソースの音を超高域  高域  中域  低域に分けそれを別々にドライブしそれを一活コントロールする
【特許文献２】
【非特許文献】
【０００４】
【非特許文献１】従来のステレオの方式
【非特許文献２】
【発明の概要】
【発明が解決しようとする課題】今までの一つの音を一つのアンプで再生しそれを３つのスピーカーに分けるのでなく一つの音を別々のアンプで再生しそれを一活コントロールする
【課題を解決するための手段】一つの音を別々のアンプで再生しそれを一活コントロールする
【発明の効果】別々のアンプで増幅するので一つの音が純粋で従来の一つのアンプで一つの音を増幅させ３つのスピーカーに分けるのでなく別々のアンプで増幅するので超高域高域中域低域のスピカーから別々の音量の音が他のスピーカーかにかかわらず別々に出せるので
2018064259.tif 000005
全体の音量が同感覚で上下する画期的アンプ
【図面の簡単な説明】ＣＤから各アンプに分けそれをリモコン又はマスターアンプで全体の音量を決める【図１】はアンプの全体音量をリモコンで操作し
【図２】
2018064259.tif 000006
【発明を実施するための形態】
一つの音を３つ又は４つのアンプで再生しリモコン又はマスターアンプで一活コントロールする
【実施例】いまだない
【産業上の利用可能性】全ステレオ方式の全部とりかえ
【手続補正２】
【補正対象書類名】図面
【補正対象項目名】全図
【補正方法】変更
【補正の内容】
【図１】
2018064259.tif 000007
【図２】
2018064259.tif 000008
(57)【要約】【目的】  在宅介護での、人手に頼るしかない支援で、生じる負担負点をとり除くために、左右対称にアームを設けてある電動リフトを用いて、人手の支援に代わり行うための手段とする。【課題】（イ）力を要する移乗支援は、持ち上げたり、抱え上げたりするしかなく重労働負担になる、重い人の移乗支援は、複数人の人手を要する。（ロ）支援中に、肩、膝、腰を痛めたり、転倒、転落事故を起こす。（ハ）介助を受けて、起き上がり、立ち上がりの起立の補助をしている人の自力での起立をするため。【解決手段】  本体（１）にボルト駆動軸（２）を設ける、ナット部位の側部に左右対称にレール（３）を設ける、このレール上に動肩（４）とアーム（５）を組み合せて両方のレールに設ける、この２本のアームを設けてある電動リフト  人手の支援に代わり、２本のアームにベルトの架け脱しの支援を行う事で課題を解決する。【選択図】図２
2018064922.tif 000002
【特許請求の範囲】
【請求項１】
本体（１）にボルト駆動軸（２）を設ける、ナット部位の側部に左右対称にレール（３）を設ける、このレール上に動肩（４）とアーム（５）を組み合せて両方のレールに設けるこの２本のレールを設けた形状と仕組みを特徴とする介護電動リフト
【発明の詳細な説明】
【０００１】  本発明は、在宅介護支援で、人手に頼るしかない支援で生じる負担を除くための手段とする、左右対称に２本のアームを設けてある電動リフト「たすけにん」に関するものである。
【発明の目的】
【０００２】  在宅介護で、力を要する人手に頼るしかない移乗支援で、生じる負担を除くために、人手に代わり電動リフトを活用するためと、重い人でも単人で移乗支援を行うために電動リフトを活用するため。
床ずれ防止のために体位変換も、人手の支援に頼るしかない、この人手の支援に代わり電動リフトを活用する。
人手の介助を受けて、起き上がり、立ち上がりの起立をしている人の自力での起立をするための補助のために電動リフトを活用する。
【背景技術】
【０００３】  在宅介護支援で、寝たきりや、自力で動けない人を寝具から、車イス、トイレ、入浴介助のための、移乗支援は、持ち上げたり、抱え上げたりするしかなく人手に頼るしかない、力を要する重労働負担になる。
重い人の移乗支援は、複数人の人手を要する。
床ずれ防止のための体位変換も人手の支援に頼るしかない。
ケガ、疾病、障害、老化して体力が低下している人で起き上がり、立ち上がりのための起立の介助を受けて起立をしている人の自力で起立のために電動リフトを活用する。
【発明の概要】
【発明が解決しようとする課題】
【０００４】  寝たきりや、自力で動けない人の移乗支援の課題
（イ）人手で行う移乗支援は、持ち上げたり、抱え上げたりする支援は、力を要する重労働負担になる。
重い人の移乗支援は、複数人の人手を要する。
（ロ）支援者が支援中に、肩、膝、腰を痛めたり、又支援中に転倒、転落事故を起こす。
（ハ）長期の支援での重労負担苦で、ストレス、うつを発症する人も、これが要因で虐待、事件を起こす人も。
（ニ）起き上がり、立ち上がりのために起立の介助を受けて、起立をしている人の自力での起立のための補助を電動リフトを活用して行う。
【課題を解決するための手段】
【０００５】  本体（１）にボルト駆動軸（２）を設ける、ナット部位の側部に左右対称にレール（３）を設ける、このレール上に動肩（４）とアーム（５）を組み合せて両方のレールに設ける、この２本のアームを設けた形状と仕組を特徴とする介護電動リフト
【発明の実施】
【０００６】  寝具の側に、本体を据置く、寝具上の要介護者を乗せるための、前後左右に４本の吊りベルトを設けたベルト架台に要介護者を乗せる、アームを下げてベルトを架ける、アームを上げて目的使用用具を使う位置で止める要介護者は、ブランコ状態になる、寝具との間が空間ができる、下にある寝具を動かして、空いた所に目的使用具を置くアームを下げて要介護者を乗せる、ベルト架台を脱して介助を行う。
ベルトの架け脱しをするだけで、移乗支援から目的介助の終りまで要介護者を移動する事なく連続して支援ができることが、この発明の目的でもある。
使用用具を交換する事で、単人で、いつでも、何回でも支援ができる事が特徴である。
【発明の効果】
【０００７】  人手に頼るしかない在宅介護での移乗支援は、力を要する重労働負担になる、この負担を除くために、人手の支援に代わり電動リフトを用いて、ベルトの架け脱しの支援になるので負担を回避できる。
重い人の移乗支援もベルトの架け脱の支援になるので単人で、いつでも、何回でも支援ができる。
支援中に起きる、ケガ、転倒、転落事故も、ベルトの架け脱の支援になるので防止できる。
長期の支援での重労働負担苦で起きる、ストレス、うつも、ベルトの架け脱しの支援で負担苦を回避できるのでストレス、うつを抑える事で虐待や事件を防止する。
床ずれ防止のための体位変換も人手に代わりに電動リフトを用いて行う事で人手の支援で生じる負担を除くことができる。
人手の介助を受けて、起き上がり、立ち上がりの起立を行っている人の、自力での起立を行うために電動リフトを用いて、補助を行う事で、人手による負担をとり除く事と自力での起立が成立する。
２本のアームにテーブル用の台を用いる事でテーブルとして使用する。
【先行技術文献】
【特許文献】
【０００８】〔移乗用具〕福祉カタログより
３７Ｅ−１  床走行式電動介護リフト
３７Ｅ−５  介護リフト  つるべ〜Ｂセット
３７Ｅ−６  据置型介護リフト  かるがるプチ
【図面の簡単な説明】
【０００９】
【図１】  後斜視図
【図２】  前斜視図
【符号の説明】
【００１０】本体      １
駆動軸    ２
レール    ３
動肩      ４
アーム    ５
【図１】
2018064922.tif 000003
【図２】
2018064922.tif 000004
(57)【要約】【課題】書見台の頁の押さえ具にあってめくった頁を確実に押え、頁が容易にめくれて、また容易に差し込めるようにした書見台を提供する。【解決手段】書物押え具（１）が上下方向にまた、水平方向に回動することによって開いた書物（２０）の頁を押さえる。この独自の保持力を持ち回動する書物押え具（１）が、さらに開いた書物（２０）に対して真上方向から押さえることで頁をめくるにも差し込むにも周りに邪魔な取付け部材がなく楽に操作ができる。【選択図】図４
2018064921.tif 000002
【特許請求の範囲】
【請求項１】
ベース板（５）に、基台（３）を固定し、この基台の左右に丸軸４・４が設けられ、この丸軸に上下方向に回動可能とするコマ部材２・２の下端２ｂ・２ｂが支持されており該コマ部材２・２のの上端２ａ・２ａに書物（２０）を押さえる書物押さえ部材（１）を一端に有する半円状の書物押さえ部材１・１の他端が水平方向に回動可能に支持されていることを特徴とする書見台。
【請求項２】
前記書物押え部材（１）は金属体で構成されていることを特徴とする請求項１記載の書見台。
【請求項３】
前記書物押え部材（１）の他端は前記コマ部材（２）の内面に形成された嵌合穴に嵌め込まれて回動可能とされ、該コマ部材の内面はシリコン材が積層されており、さらにこのシリコン材の内面にフッ素樹脂が積層されていることを特徴とする請求項１〜２のいずれか１項に記載の書見台。
【発明の詳細な説明】
【技術分野】
【０００１】この発明は本などの頁押え具にあって、めくった頁を確実に押さえ、そして、容易に差し込めるようにした書見台に関するものである。
【背景技術】
【０００２】書見台に頁を押さえるための部品が組み込まれていた。
【発明が解決しようとする課題】
【０００３】頁を押えさるための部品が組み付けてあるため、頁をめくる際にも差しこむ際にも煩わしく妨げになっていた。
【課題を解決するための手段】
【０００４】発明した書見台は書物押え部材（１）が保持力を備えて回動する機能を持つことで独自に書物（２０）を押さえることができるために、これまでの頁を押さえるための部品を取り付ける必要が無くなった。
【発明の効果】
【０００５】保持力を備え上下左右に回動する書物押え部材（１）は書物（２０）の文字のかからない端の部分を上から押さえるかたちになる。この上から押さえるかたちが独自のもので、これにより、頁の扱いが円滑に行える。
（図４参照）
【図面の簡単な説明】
【０００６】
【図１】  本発明の全体の構成を示す斜視図。
【図２】  図１のコマ部材（２）ａ及びｂ部の断面図。
【図３】  本発明における使用状態を示す側面図。
【図４】  本発明における使用状態を示す斜視図
【符号の説明】      １      書物押え部材
２      コマ部材
３      基台
４      丸軸
５      ベース板
６      滑り止め部材
７      フッ素樹脂
８      シリコン材
【発明するため実施の形態】
【０００７】以下、本発明の実施の形態を図１から図４に基づいて説明する。本発明の書見台Ａ（図１）は正方形状のベース板上部に角状の基台が固定され、この基台の両端に丸軸が連結されこの丸軸に回転自在のコマ部材（２）下端２ｂ・２ｂが組み付けられ上下方向に回動する。さらに書物押さえ部１・１の他端がコマ部材２・２の上端２ａ・２ａに組み付けられ水平方向に回動することにより書物押え部（１）が頁を押さえる。
【０００８】頁を押さえる両端の書物押え部材１・１の動きは、コマ部材（２）の水平方向に回動する上端２ａ・２ａと上下方向に回動する下端２ｂ・２ｂの軸受が伝える。このコマ部材（２）のそれぞれの軸受は保持力を備えた軸受となっており、これにより書物押え部材（１）は独自に回動することが可能となる。
【０００９】この保持力を備えるにはコマ部材（（２）の内面にシリコン材（８）を積層させ、さらにシリコン材（８）の内面にフッ素樹脂（７）を積層させる。このフッ素樹脂（７）の内面と延長軸（４）との嵌台により適度の保持力を出すことができる。この構造は上端２ａ・２ａ及び下端２ｂ・２ｂともに同じである。
（図２参照）
【００１０】この軸受が適度の保持力を有し、しっとりとした滑らかな回動が得られるのは丸軸部（４）の綿密な仕上げと、優れた潤滑性能を備えた、そして摩擦係数の低い特性を持つフッ素樹脂（７）を採用することによって潤滑油を塗布しなくても得ることができる。そしてこの軸受けが適度の保持力を有する為にシリコンゴム（８）が挿入されている。
【００１１】書物押え部材（１）の強度は例えばステルスなどの金属製で径の太さはΦ３がよい。形状は側面視で半円状になっておりΦ３でのタワミが頁の反力を受けるのに適した設計となっている。（図３参照）
【００１２】書物押え部材（１）の他端には滑り止めキャップ（６）が設けられており。この滑り止めキャップ（６）によって頁を押さえる際に滑り止めの役割を果たす。これにより軽く押さえても頁が逃げないで保持が安定する。尚この滑り止めキャップ（６）はゴム製とするのが望ましい。
【００１３】書物押え部材（１）に伝えるコマ（２）の上下の保持力は強いと操作性が悪くなるが書籍の反力に負けない保持力が必要である。この両者を満足する操作性に適した保持力となっている。
同じく書物押え部材（１）の水平方向の動きは緩いと押さえが安定しないので適度の保持力を持たせてある。
【００１４】書物（２０）を開いて書物押え部材（１）の先端は通常は書物の文字のない端面を押さえて使用するが書籍が厚くて反力が著しい場合は傾斜の角度が急となり端面を押さえるのが難し状態となる。このような場合いは書物押え部材（１）が上下・左右に旋回する範囲で任意の位置に動かして押さえることができ安定して読むことができる。
【００１５】書物押え部材（１）はコマ部材（２）を介して延長軸（４）を中心にして回動する、この回動で書物押え部材（１）は真上から頁を押さえることになる。この書物（２０）を押さえる形が頁をめくる作業と差し込みの作業をさえぎるものはなく、円滑に行えることが最大の特徴である。
【図１】
2018064921.tif 000003
【図２】
2018064921.tif 000004
【図３】
2018064921.tif 000005
【図４】
2018064921.tif 000006
(57)【要約】【課題】  本発明は、本発明にかかる本塁ベース（公認野球規則に定める形および大きさ）大の平面状物体（以下「ベース体」という）に、安打確率の高い方向に向かって矢印形帯状物体（以下「矢印体」という）を結着し、その矢印に沿って野球バットの素振りを反復することにより、その適切なスゥイング動作を筋肉に憶えさせることによって、飛躍的に打撃技術や安打率を向上させる効果がある野球用品を提供する。【解決の手段】  ベース体と矢印体並びに両者を結着する装置を有することを特徴とする素振り用ベースである。【選択図】図１
2018064914.tif 000002
【特許請求の範囲】
【請求項１】
野球の本塁ベース（公認野球規則に定める形および大きさ）大の平面状物体（以下「ベース体」という）と矢印形の帯状物体（以下「矢印体」という）で構成する素振り用ベース。
【請求項２】
ベース体と矢印体とが着脱自在である素振り用ベース。
【発明の詳細な説明】
【技術分野】
【０００１】  本発明は、野球の打撃技術の向上に資する野球用品に関するものである。
【背景技術】
【０００２】  従来、バットの素振りは、打撃技術の向上に資するサポート用品なしで行われている。
【発明の開示】
【発明が解決しようとする課題】
【０００３】  従来行われているバットの素振りは、パワーとスゥイングスピードの増強効果が期待できるにとどまり、打撃技術や安打率の向上については非効率である。
【課題を解決するための手段】
【０００４】  本塁ベース（公認野球規則に定める形および大きさ）大の平面状物体（以下「ベース体」という）と矢印形帯状物体（以下「矢印体」という）並びに両者を結着する装置を有することを特徴とする素振り用ベースである。
【発明の効果】
【０００５】  本発明は、本発明にかかるベース体に、安打確率の高い方向に向けて矢印体を結着し、その矢印に沿って野球バットの素振りを反復することにより、その適切なスゥイング動作を筋肉に憶えさせることによって、飛躍的に打撃技術や安打率を向上させる効果がある。
【発明を実施するための最良の形態】
【０００６】  以下、本発明の実施の形態を説明する。
（イ）平面素材（布、紙、ビニール等）によるベース体（１）
（ロ）平面素材（布、紙、ビニール等）による矢印体（２）
（ハ）ベース体（１）並びに矢印体（２）の裏面または表面の一部にそれぞれ結着装置（      布等の場合は、面ファスナーを貼付）（３）を設ける。
本発明は、以上の構成からなる。
本発明の使用方法は、ベース体（１）を地面と水平になるように置き、投手板と向き合う辺に矢印体（２）を安打確率の高い方向に矢印を向けて結着する。
【図面の簡単な説明】
【０００７】
【図１】本発明の平面図
【図２】本発明の結着状態図
【符号の説明】
【０００８】  （１）ベース体
（２）矢印体
（３）結着装置
【図１】
2018064914.tif 000003
【図２】
2018064914.tif 000004
(57)【要約】      （修正有）【課題】身体に負担をかけることなく血液中の癌細胞やウィルスを死滅させる方法を提供する。【解決手段】癌や危険な伝染病、抗生物質の効かないウィルス感染者などの血液を、カテーテル３等で体外に取り出し、空気に触れることなくカテーテル等ごと過熱して滅菌して、さらにカテーテル等ごと平熱に冷却して身体に戻すことで、安全に癌細胞やウィルス等を死滅させることが出来る。【選択図】図１
2018064918.tif 000002
【特許請求の範囲】
【請求項１】
カテーテル等を通して血液を対外に取り出し、カテーテル等ごと過熱して、癌細胞やウィルスなどを死滅させて、さらにカテーテル等ごと平熱まで冷却して体内に戻す方法。
【請求項２】
身体に負担をかけることなく血液をカテーテル等で対外に取り出し、カテーテル等ごと血液の成分が破壊されない程度まで過熱して、さらにカテーテル等ごと平熱まで冷却して身体に戻す。その間、血液は空気に触れることなく過熱と冷却を繰り返して循環させる。
【発明の詳細な説明】
【技術分野】
【０００１】  この発明は人体の治癒能力の発熱を人工的に体外にて加熱することにより人体に影響なく起こさせる。
【背景技術】
【０００２】  従来、癌などの治療法で温熱療法と称して患部にアイロンのようなものをあてたり、ハイパーサーミア療法と称して局所を４２℃以上に加熱して癌細胞を死滅させる方法がとられることがある。最近では患者の全身を包帯で巻いて電子レンジのように加熱して治療する方法もとられている。
【既存の技術の欠点】
【０００３】  癌細胞は４２．５℃以上で死滅することは知られているが、いずれにしても身体を加熱することは容易では無く、局部加熱は火傷や生理的ストレスで心身共に著しい打撃を生じる事が多い。  全身加熱は癌細胞死滅の劇的効果もあるが、熱による脳や他の臓器への負担も大きく生命の危険が生じることがある。
【発明の概要】
【発明が解決しようとする課題】
【０００４】  身体に負担をかけることなく加熱する方法としてカテーテル等で血液を体外に取り出しカテーテルご等ごと血液の成分を壊すことの無い極限にまで加熱して体内に血液を戻す前にカテーテル等ごと平熱に冷やす。血液はカテーテル等を通して空気に触れることなく加熱と冷却を繰り返し循環することになる。【０００５】  そもそも癌の転移は血液を通して全身に及ぶことは自明の理である。血液中に癌細胞が散っており、少なくても血液を加熱して冷却して体内に戻せば、身体への負担は軽く血液中の癌細胞は死滅することが考えられる。よって転移は抑えられることになる。
【発明の効果】
【０００６】  血液を体外で加熱するので、人体への負担が少なく蛋白変性を起こすギリギリまで加熱することが出来る。【０００７】  癌細胞のみならず、抗生物質の効かないウィルスやエイズ菌なども体外加熱により死滅させることができると考えられる。
【図面の簡単な説明】
【０００８】  カテーテル等を通して矢印の方向に血液を体外に取り出し、加熱したあと平熱まで冷却して身体に戻す工程図。これは必要に応じて循環される。カテーテル等は実際は図面よりも細い。
【符号の説明】１…加熱器２…冷却器３…カテーテル等
【図１】
2018064918.tif 000003
(57)【要約】【課題】  仏壇やお墓でりんを打ち鳴らすとき、単純な操作でりんを打つことができるりん打ち装置を提供する。【解決手段】  両端のバランスをとる支点１１を備えた天秤棒１の一方の端に、下に垂れ下がるようにりん打ち棒２を固定し、その状態で天秤棒１の水平のバランスをとり、もう一方の端の揺動操作部１３を揺動操作することによってりん打ち棒２を揺動させ、りん本体４を打ち鳴らすようにする。【選択図】図１
2018064919.tif 000002
【特許請求の範囲】
【請求項１】
両端のバランスをとる支点を備えた天秤棒の一方の端に、下に垂れ下がるようにりん打ち棒を固定し、その状態で天秤棒の水平のバランスをとり、もう一方の端を上下に揺動操作することによってりん打ち棒を揺動させ、りん本体を打ち鳴らすことを特徴とするりん打ち装置。
【請求項２】
前記天秤棒の支点を、上下に移動可能にして支持する支柱上に設けたことを特徴とする請求項１記載のりん打ち装置。
【請求項３】
前記りん打ち棒を、天秤棒と一体化させたことを特徴とする請求項１又は請求項２記載のりん打ち装置。
【請求項４】
前記りん打ち装置及びりん本体を、天秤棒を揺動操作する側を露出させる穴を開けた箱状の覆いで囲んだことを特徴とする請求項１乃至請求項３記載のりん打ち装置。
【発明の詳細な説明】
【技術分野】
【０００１】  本発明は、仏壇やお墓に設置するりんを打ち鳴らすためのりん打ち装置に関するものである。
【背景技術】
【０００２】  従来、りんを打ち鳴らすための装置としては、例えば特開２０１５−０１３１０４号公報（特許文献１）に掲載されたものが知られている。これは図４に示すように、りん本体３００の上方に、りん打ち棒１００を揺動可能につり下げる支持具２００でつりさげ、りん打ち棒１００の揺動操作部１０１を揺動操作して打りん部１０２を揺動させ、りん本体３００を打ち鳴らすものである。
【先行技術文献】
【特許文献】
【０００３】
【特許文献１】特開２０１５−０１３１０４号公報
【発明の概要】
【発明が解決しようとする課題】
【０００４】  ところで、上記した従来のりん打ち装置においては、りん打ち棒を揺動操作するのに微妙な手加減が必要になり、子供や老人などが容易に操作することはできない。
本発明は上記の問題点に鑑みて為されたもので、りん打ち棒の揺動操作を容易にすることを目的にしたものである。
【課題を解決するための手段】
【０００５】  このような目的を達成するために、本発明のりん打ち装置は、両端のバランスをとる支点を備えた天秤棒の一方の端に、下に垂れ下がるようにりん打ち棒を固定し、その状態で天秤棒の水平のバランスをとり、もう一方の端を上下に揺動操作することによってりん本体を打ち鳴らす構成としている。【０００６】  これにより、りん本体を打ち鳴らす場合、天秤棒を揺動操作する側の端を押し下げ、その手を離すだけで容易にりん打ち棒を揺動させ、りん本体を打つことができる。
そして、必要に応じ、前記天秤棒の支点を、上下に移動可能にして支持する支柱上に設ける構成としている。これにより、支柱上の支点を上下に移動させれば、どのような大きさのりん本体に対しても、最も適した位置にりん打ち棒を配置できる。【０００８】  又、必要に応じ、前記りん打ち棒を、天秤棒と一体化させる構成としている。これにより、りん打ち棒を天秤棒に固定させる作業を軽減できる。【０００９】  更に、必要に応じ、前記りん打ち装置及びりん本体を、天秤棒を揺動操作する側を露出させる穴をあけた箱状の覆いで囲んだ構成としている。これにより、りん本体を打つ操作を妨害せず、箱状の覆いの上に花瓶等の物を置くなど、本件りん打ち装置及びりん本体の上方空間を有効利用することができる。
【発明の効果】
【００１０】  本発明によれば、りん本体を打ち鳴らすとき、天秤棒を揺動操作する側の端を押し下げ、その手を離すだけで容易にりん打ち棒を揺動させ、りん本体を打つことができる。【００１１】  又、天秤棒の支点を上下に移動させれば、どのような大きさのりん本体に対しても最も適した位置にりん打ち棒を配置することができる。【００１２】  更に、本発明のりん打ち装置及びりん本体を、天秤棒を揺動操作する側を露出させる穴をあけた箱状の覆いで囲めば、りん本体を打つ操作を妨害せず、箱状の覆いの上に花瓶等の物を置くなど、本件りん打ち装置及びりん本体の上方空間を有効利用することができる。
【図面の簡単な説明】
【００１３】
【図１】本発明の実施の形態に係るりん打ち装置を示す斜視図である。
【図２】本発明のりん打ち装置のうち、りん打ち棒を天秤棒と一体化させた実施の形態を示す斜視図である。
【図３】本発明のりん打ち装置及びりん本体を、天秤棒を揺動操作する側を露出させる穴をあけた箱状の覆いで囲んだ実施の形態を示す斜視図である。
【図４】従来のりん打ち装置の一例を示す斜視図である。
【発明を実施するための形態】
【００１４】  以下、添付図面に基づいて、本発明の実施の形態に係るりん打ち装置について詳細に説明する。図１に示すように、実施の形態に係るりん打ち装置は、りん本体４を打ち鳴らすためのりん打ち棒２を備え、りん打ち棒２を揺動させるために、りん打ち棒２を天秤棒１の一方の端に固定軸２１によって固定し、その状態で支点１１を境とするもう一方の端である揺動操作部１３と水平のバランスをとっている。
そして、天秤棒１の揺動動作部１３を押し下げ、その手を離すことによって、天秤棒１に固定されたりん打ち棒２をりん本体４に向かって揺動させ、打りん部２２をりん本体４に当てるものである。
【００１５】  又、天秤棒１の支点１１は、天秤棒１を揺動させる回転軸１２により成り立っており、回転軸１２は支点支持柱３に支持されている。そして、回転軸１２を支点支持柱３上で上下に移動させることによってどのような大きさのりん本体４に対しても最も適した位置にりん打ち棒２を配置することができる。支点支持柱３上にあけられた支点上下移動部３１ａ，３１ｂ、３１ｃの穴は移動させた回転軸１２をとめるものであるが、必ずしも事前に開けておく必要はない。
【００１６】  図２は、りん打ち棒２を天秤棒１と一体化させたものである。これによりりん打ち棒２と天秤棒１を固定させる作業を軽減することができる。
【００１７】  又、図３に示すように、本発明のりん打ち装置及びりん本体４を、天秤棒１の揺動操作部１３を露出穴５１によって露出させる覆い箱５で囲むことによって、りん本体４を打つ操作を妨害せず箱の上に花瓶６等の物を置くなど、本件りん打ち装置及びりん本体４の上方空間を有効に利用することができる。
【符号の説明】
【００１８】１    天秤棒
２    りん打ち棒
３    支点支持柱
４    りん本体
５    覆い箱
６    花瓶
１１  支点
１２  回転軸
１３  揺動操作部
２１  固定軸
２２  打りん部
３１  支点上下移動部
５１  露出穴
【図１】
2018064919.tif 000003
【図２】
2018064919.tif 000004
【図３】
2018064919.tif 000005
【図４】
2018064919.tif 000006
【手続補正書】
【提出日】平成29年9月7日(2017.9.7)
【手続補正１】
【補正対象書類名】図面
【補正対象項目名】図１
【補正方法】変更
【補正の内容】
【図１】
2018064919.tif 000007
(57)【要約】【課題】  掃除等の際に、簡単にテーブルに引っ掛けられる椅子を提供する。【解決手段】  椅子の背もたれの部分に突起部分を設け、引っ掛けた時にバランスが取れるように重りを付けれる様にした椅子を特徴とする。【選択図】図２
2018064916.tif 000002
【特許請求の範囲】
【請求項１】
大きな出っ張り（肘掛け部分等）や金具等を用いずに、簡単にテーブル天板に引っ掛けられる椅子
【発明の詳細な説明】
【技術分野】
【０００１】  この発明は、テーブル天板に引っ掛ける事を楽な動作で出来る椅子に関するものである。
【背景技術】
【０００２】  従来、テーブルや椅子の下を掃除する時は、椅子を他の場所に移動させたり、椅子を逆さまにしてテーブル天板の上に乗せていたりしてから、掃除している。また、最近ではお掃除ロボットが出てきて室内を自動で掃除してくれるようになったが、椅子の下は椅子の脚がある為、掃除がしにくい場所となっている。故に、椅子の下は掃除するに手間が掛かり、しにくい場所となってる。
【先行技術文献】
【特許文献】
【０００３】
【特許文献１】特開２０１１−１１０４２８
【発明の概要】
【発明が解決しようとする課題】
【０００４】  これは、テーブルや椅子の下を掃除する場合に、次のような欠点があった。
椅子の種類毎に（イ）から（ハ）のような欠点がある。
（イ）肘掛無しの椅子の場合は以下の欠点がある。
椅子をその場所から別の場所に動かさずに、片手で持ち上げながら椅子の下を掃除する場合は、もう片方の手で掃除機をかけなければならず、非常に不安定であり、余計な作業量が必要となる。
または、掃除する場所の椅子を他の場所に移動してから、掃除機を掛け、また元の位置に戻さなければならないので、非常に手間が掛かるし、椅子を置けるスペースが必要になる。。
または、椅子を逆さまにしてテーブル天板に乗せてから、掃除機をかける場合も多くの手間が掛かる。これは、非力の方にとっては大変な作業である。また、椅子を逆さまにする作業は、狭い場所では他の物にぶつけてしまう危険性がある。
（ロ）肘掛付き椅子の場合は以下の欠点がある。
肘掛部分をテーブルに掛けて、椅子の下を掃除する場合は、肘掛付き椅子は元々テーブル天板に掛けることを目的としてはいない為、椅子の形状によってはテーブル天板に引っ掛ける事が出来ない。もし、引っ掛ける事が出来たとしても、床との間に十分なスペースが取れなかったり、バランスが取れず傾いてしまう為、掃除機を入れる事が出来ないなどの問題点がある。
またその問題とは別に、肘掛付き椅子をしまう際にテーブル天板・幕板部分に肘掛部分が当たってしまう為、座面をテーブルの中まで収める事が出来ず、肘掛無し椅子と比べると、テーブル周辺により広いスペースが必要となる。その為、肘掛付き椅子を使おうとする場合は、テーブル周辺に十分なスペースを確保出来るか、肘掛付き椅子が通路の邪魔にならないか等を検討する必要が出てくる。また、肘掛付き椅子に座る場合は、肘掛が付いているため、肘掛無し椅子よりも大きく後ろに引いてから座る必要があるので、立ったり座ったりの作業性を多く求められる場所に使いにくいという欠点がある。
（ハ）金具等を用いてテーブル天板に引っ掛ける機能がついた椅子の場合は以下の欠点がある。
椅子をテーブルに引っ掛けようとする場合、毎回その金具を動かしてセットするという手間が掛かる。また、長期間の使用、または不具合によって、その金具等が故障する可能性が出てくる。
以上の様に椅子の下は掃除がしにくい場所となっている。
その他では、最近、室内を掃除する掃除ロボットが出てきているが、椅子の下を掃除する場合、椅子の脚が当たってしまいロボット掃除機が入り難く、また入っても椅子の脚に当たって簡単に出られない状態になってしまう場合がある。
それゆえに、椅子の下は掃除がしにくい場所となっている。
本発明は、これらの問題点を解決するためになされたものである。
【課題を解決するための手段】
【０００５】  椅子の背もたれ部分に突起を設け、後貫に重りを付ける。
【発明の効果】
【０００６】  椅子の突起部分（２）をテーブル天板（１１）に、簡単に引っ掛ける事が出来る。
テーブルに引っ掛けた時に、椅子が傾かないように、重り（８）を付けられる様になっている。
また、突起部分（２）を最小限に抑えることで、椅子をテーブルに収める際に、しっかりと座面（４）をテーブルの中に収めることが出来るので、肘掛付き椅子より省スペースにて使用出来る。
この形状の椅子は、そのままほぼ垂直に上げて、テーブルに引っ掛ける事が出来る、また、金具等を用いていないので、作業動作が少なくて済むし、収納場所も取らないし、故障の心配も無い。
【図面の簡単な説明】
【０００７】
【図１】本発明の側断面図である。
【図２】本発明のテーブルに引っ掛けた状態での側断面図である。
【図３】本発明の正面断面図である。
【発明を実施するための形態】
【０００８】  以下、本発明を実施する為の形態について説明する。背もたれ（１）の部分にテーブルが引っ掛かるような突起部分（２）を設ける。テーブル天板（１１）に引っ掛けた時に、椅子の脚（６）及び（１０）と床（１４）の間に掃除ロボットや箒が入る様にスペースを大きく取れるように、椅子の後貫（９）に、椅子本体の素材、座面の種類によって釣り合う重り（８）を付けられる様になっており、引っ掛けた時にバランスが取れるようにしている。
また、突起部分（２）下に滑り止め（３）を設けることにより、少し触ったぐらいでは、テーブルから椅子が落ちないようになっている。
【符号の説明】
【０００９】  １  背もたれ部分
２  突起部分
３  滑り止め
４  座面
５  前貫
６  前脚
７  横貫
８  重り
９  後貫
１０  後脚及び背もたれ
１１  テーブル天板
１２  テーブル幕板
１３  テーブル脚
１４  床
【図１】
2018064916.tif 000003
【図２】
2018064916.tif 000004
【図３】
2018064916.tif 000005
(57)【要約】【目的】  この発明は、路上移動、圃場出入り、植付、等作業内容により、乗用型と歩行型を即、使い分けが出来、安全、高能率な作業を得る事を目的とした田植機。【構成】  車体前端に操縦ハンドル、座席を備えた乗用操縦装置と、車体後端に歩行用ハンドル、操縦装置を備え、車体中間部に、上下動可能に支持された植付装置を持つ田植機において、オペレータが駆動車輪の真上近くに、乗降することにより、バランスの変化が少なく、即乗用型、歩行型の切り替えが可能である。【選択図】図１
2018064546.tif 000002
【特許請求の範囲】
【請求項１】
車体フレーム４の前端にエンジン２で駆動する。車輪３を置き、後側４１Ｌ，Ｒに車体支持とステアリングを行う橇４２Ｌ，Ｒを軸支し、さらに４１Ｌ，Ｒから、植付装置７の取り出し板７０の下を通り後方に延設したフレーム後端に歩行運転用装置とハンドル６を設け、車輪３の上方に乗用運転装置５を設け、車体フレーム４に上下スイング可能な平行リンク８Ｌ，Ｒ、９Ｌ，Ｒに支持された植付装置７を配置した。乗歩行兼用田植機。
【請求項２】
植付装置の駆動動力として、車輪３の回転をスプロケット７１と７２およびチエン７３で行い、スプロケット７１の軸心を車軸に、スプロケット７２の軸心を平行リンク９Ｒの軸上に設置したことを特長とする植付装置駆動方法。
【発明の詳細な説明】
【発明の詳細な説明】
【０００１】  本発明は、使用場所に応じ乗用でも歩行でも使用可能な田植機に関するものである。
【背景技術】
【０００２】  田植機の主流は乗用型になり、大型化高速化が進み高能率となったが、深田対応のためトレッドに対し車高が高く重心が高いため、転倒し易い。また、枕地、角地での小回りを要求されるため、ホイルベースが短く、圃場を出るとき或いは、畦越えの場合、前輪が浮き上がり易い欠点がある。又多輪駆動及び車体重量増大のために枕地荒しも問題視されている。
【発明が解決しようとする課題】
【０００３】  軽量小型で、使用条件により、何時でも乗用型と歩行型の使い分けが可能な乗歩行兼用田植機
【０００４】  乗用型と歩行型を切り替えても、重心位置の移動が少なく、機体バランスの修正、操作系の切り替え等煩雑な操作が不要なこと。
【０００５】  乗用の座席が低く乗り降りが容易なこと。
【課題を解決するための手段】
【０００６】  路上移動圃場出入り、畦越え等、不安定な作業は歩行型とし、後方のハンドルを持ち、１輪車として使用する。
【０００７】  圃場内の植付は乗用型として使用。乗り降りを容易にする為と重心を低くする為に、座乗は車輪を跨ぎ、車軸延長上にステップを設ける。
【０００８】  歩行型、乗用型と切り替えた場合機体バランスの変化をすくなくする為に駆動車輪、上方に座席を設ける。
【実施例】
【０００９】  本発明の実施例を図面に基づき詳細に説明する。
図１は全体左側面図
図２は全体平面図
図３は動力取り出し部の平面図
図４は動力取り出し部の側面図
図５は第３図の一部詳細図
図６は植付装置上下動ロック金具断面図
図７は植付装置上下動ロック金具側面図【００１０】  まず、本発明を装備した乗歩行兼用田植機（以下田植機と言う）の全体構成を図１、図２、図３、図４、図５、図６、図７を用いて説明する。
田植機１の構成は、駆動伝動装置２、駆動車輪３、フレーム４、操行橇４２Ｌ，Ｒ。乗用運転装置５、歩行運転装置６、植付装置７で構成配置してある。【００１１】  主として、パイプ部材で構成したフレーム４の後端下部４１Ｌ，Ｒは、車体の支持とステアリングを行う橇４２Ｌ，Ｒを軸支する。【００１２】  橇４２Ｌ，Ｒの上端４３Ｌ，Ｒには、ステアリングのためのナックルアーム４４Ｌ，Ｒを備え、タイロッド４５Ｌ，Ｒでピットマンアーム５５Ｌ，Ｒに連結される。【００１３】  ５は乗用運転装置で、５１は座席、５２はハンドル、５３はスロットルレバー、５４はハンドルポスト、５５は植付クラッチレバーであり、コントロールワイヤーで植付装置７の作動を断続する。【００１４】  フレーム４１Ｌ，Ｒから後方に延設した歩行操行用ハンドル６Ｌ，Ｒには、スロットルレバー６１、植付クラッチレバー６２Ａ、植付装置上下動ロックレバー６２Ｂを設けてある。【００１５】  次に植付装置７は、フレーム４に軸支された平行リンク８Ｌ，Ｒ、９Ｌ，Ｒにより上下動可能に設置されている。【００１６】  １１Ｌ，Ｒは、植付装置７を吊架する引張ばねで、レバー１２で張力を加減し、フロート１３Ｌ，Ｒの接地圧を調節する。【００１７】  １４は、植付深さ調節レバーであり、フロート１３Ｌ，Ｒの高さを加減、植付深さを調節する。【００１８】  植付装置７の駆動は車輪３に装着されたスプロケット７１、植付装置７に装着されたスプロケット７２、チエン７３で行い、スプロケット７１、７２間の支持は平行リンク９Ｒで行う。【００１９】  植付クラッチレバー６２Ａに連設された、植付装置上下動ロックレバー６２Ｂを、操作するとコントロールワイヤー６４で接続されたロックピン６５が植付装置上下動ロック金具６３のドラム６６の回転がストップし、ゼンマイバネ６７とピン６８で接続された植付装置７の上下動をロックし植付装置がフレーム４に固定され、枕地旋回、路上移動時に使用する。
【発明の効果】
【００２０】  上例の作用について説明すると、農道の移動、圃場出入り、畦越え等は安全な歩行型田植機として、機体後部のハンドル６の操作で行い。圃場内の主たる植付は、乗用型田植機として高能率に作業。その際も枕地、変形田での角地、等は歩行型田植機として使用し、枕地の荒しと捕植面積を減少する。
【図面の簡単な説明】
【００２１】
【図１】  全体左側面図
【図２】  全体平面図
【図３】  植付装置動力取り出し部の平面図
【図４】  植付装置動力取り出し部の側面図
【図５】  図３の１部詳細図
【図６】  植付装置上下動ロック金具断面図
【図７】  植付装置上下動ロック金具側面図
【符号の説明】    １  田植機
２  駆動部
３  車輪
４  車体フレーム
５  乗用運転装置
６  歩行運転装置
７  植付装置
【図１】
2018064546.tif 000003
【図２】
2018064546.tif 000004
【図３】
2018064546.tif 000005
【図４】
2018064546.tif 000006
【図５】
2018064546.tif 000007
【図６】
2018064546.tif 000008
【図７】
2018064546.tif 000009
(57)【要約】【課題】鶏の胸肉は安価でヘルシーですが高温で加熱するとパサパサになり他の肉のハムの様にパサパサ感の無いもっちりしたハムは出来ませんでした。【解決手段】鶏の胸肉を塩で１日漬け込みます。その胸肉を砂糖を加えた、あわせ調味料に半日漬け込みます。次に（マイヤー）電子レンジ圧力鍋で５分間蒸します。そのまま１時間放置して保温調理をします。次に焦げ付かないフライパンで焼き目をつけます。そうして出来たハムを半日以上、冷蔵庫で乾燥させながら熟成させます。【特許請求の範囲】
【請求項１】
安価でヘルシーな鶏の胸肉のハムを他の肉ハムと遜色のない様にしたハム。
【請求項２】
鶏の胸肉に塩を手ですり込みポリ袋に入れ少しもんで１日置きます。
次にあわせ調味料に漬け込むのですが、あわせ調味料には砂糖を加えます。
砂糖はたんぱく質の加熱によって固まりやすい性質（熱凝固温度）を高め固まりにくくする事ができます。（農林水産省ホームページ  砂糖の凄い力）より
次に加熱するのですが、鶏の胸肉は高温で調理するとパサパサになります。
それを解決してくれるのが（マイヤー）電子レンジ圧力鍋です。
（マイヤー）電子レンジ圧力鍋は樹脂で出来ている為あまり高温にはなりません。
その代わり保温が凄くいいのです。
熱湯をいれ蒸し板を置いて鶏の胸肉をタコ糸でハムの様に巻いた物をその上に置きタイマーを５分にセットして蒸します。
すぐに蓋を開けずに１時間ジッと待っていると中まで火が通ります。
それでパサパサせずにもっちりとしたままで中まで火が通ります。
最後に焦げ付かないフライパンで焼き目をつけます
焼き目が全体についたら冷蔵庫で乾燥させながら熟成させます。
【発明の詳細な説明】
【技術分野】
【０００１】  本発明は、安価でヘルシーな鶏の胸肉を使って
他の肉のハムと遜色のないハムを造る方法である。
【背景技術】
【０００２】  鶏の胸肉は高温で熱するとパサパサになりもっちりと出来なかった。
【発明の概要】
【発明が解決しようとする課題】
【０００４】鶏の胸肉は他の肉と比べて非常に安価です。
非常にヘルシーでもあります。
鶏の胸肉を使った料理はありますが他のハムと遜色のないパサパサ感の無いハムはありませんでした。
【課題を解決するための手段】
【０００５】  鶏の胸肉に塩を手ですり込みポリ袋に入れ少しもんで１日置きます。
これで身が締まります。
次にあわせ調味料に漬け込むのですが、あわせ調味料には砂糖を加えます。
砂糖はたんぱく質の加熱によって固まりやすい性質の熱凝固温度を高め固まりにくくする事ができます。（農林水産省ホームページ  砂糖の凄い力）より【０００６】  次に加熱するのですが、鶏の胸肉は高温で調理するとパサパサになります。
それを解決してくれるのが（マイヤー）電子レンジ圧力鍋です。
（マイヤー）電子レンジ圧力鍋は樹脂で出来た圧力鍋の為あまり高温にはなりません。
その代わり保温が凄くいいのです。
熱湯をいれ蒸し板を置いて鶏の胸肉をタコ糸でハムの様に巻いた物をその上に置きタイマーを５分にセットして蒸します。
すぐに蓋を開けずに１時間ジッと待っていると中まで火が通ります。
それでパサパサせずにしっとりとしたままで中まで火が通ります。
（マイヤー）はアメリカのキッチンメーカーです。
最後に焦げ付かないフライパンで焼き目をつけ、焼き目が全体についたら冷蔵庫で半日以上、乾燥させながら熟成させます。
【発明の効果】
【０００７】  安価でヘルシーなハムを提供する事ができる。
【発明を実施するための形態】
【０００８】  安価でヘルシーな鶏の胸肉をほかの肉で作ったハムと遜色のないハムにする
製造方法
【０００９】  鶏の胸肉  ２個    約６５０ｇ
皮をとり観音開きにしてフォークで穴を開けて両面に塩をすり込む。
【００１０】ポリ袋にいれ少しもんで冷蔵庫で一日寝かす
水洗いをしてペーパータオルで丁寧に拭く
【００１１】鶏胸肉（約１ｋｇ）用    あわせ調味料
▲１▼  紹興酒  ４分の１カップ
片栗粉      中サジ  山盛り１        を混ぜる
▲２▼  砂糖    中サジ  山盛り１
醤油    大サジ  １
おろしショウガ  小サジ  １
おろしニンニク  小サジ  １        を▲１▼に入れ混ぜる
▲３▼  玉ねぎ氷    ２個（溶かして冷やしたもの  約４０ｇ）
▲３▼の上に▲１▼▲２▼を混ぜ合わせたものを入れて混ぜる。
楕円の皿に▲１▼▲２▼▲３▼を混ぜ合わせた、あわせ調味料を少し入れ鶏の胸肉を置いてあわせ調味料をかけ、その上に２枚目を置き残りのあわせ調味料をかける。
鶏の胸肉とあわせ調味料をポリ袋にいれ少しもんで冷蔵庫で一晩ねかす。
【００１２】  ねかした鶏肉をサランラップで丸く巻いてタコ糸で縛る。
（マイヤー）電子レンジ圧力鍋に熱湯をいれ蒸し板の上で５分間加熱する。
そのまま１時間保温調理する。
【００１３】サランラップを取り鶏の胸肉を軽く洗ってペーパータオルで水気を取る。
焦げ付かないフライパンで焼け目を付ける。
【００１４】鶏の胸肉ハムを皿の上に置き冷蔵庫で乾燥させながら（半日）熟成さす。